(57)【要約】【課題】皮膚の所定部にのみエミュー油を配置し、周辺にエミュー油が広がることなく、粘着シートによって粘着しエミュー油を固定することができる絆創膏を提供する。また、当該絆創膏の製造に用いる凍結エミュー油作成部品を提供する。【解決手段】凍結したエミュー油を粘着シートの粘着剤塗布面の中央部に付着している絆創膏である。他の本発明は浅底の容器の中にエミュー油を満たし、容器の上部を取外し可能に密閉している凍結エミュー油作成部品である。【選択図】    図１
2005000201.tif 000002
【特許請求の範囲】
【請求項１】
凍結したエミュー油を粘着シートの粘着剤塗布面の中央部に付着している絆創膏。
【請求項２】
凍結したエミュー油は、天然繊維または合成繊維にエミュー油を常温で浸透させた後に、冷却しエミュー油を凍結させて得ることを特徴とする請求項１に記載の絆創膏。
【請求項３】
凍結したエミュー油および他の機能性成分を粘着シートの粘着剤塗布面の中央部に付着している絆創膏。
【請求項４】
凍結したエミュー油および他の機能性成分は、常温でエミュー油と他の機能性成分とを混合した液体中に、天然繊維または合成繊維を浸漬し浸透させた後に冷却し、エミュー油および他の機能性成分を凍結させて得ることを特徴とする請求項３に記載の絆創膏。
【請求項５】
凍結したエミュー油に保冷材を除去可能に接触させ冷却していることを特徴とする請求項１または２に記載の絆創膏。
【請求項６】
凍結したエミュー油および他の機能性成分に保冷材を除去可能に接触させ冷却していることを特徴とする請求項３または４に記載の絆創膏。
【請求項７】
浅底の容器の中にエミュー油を満たし、容器の上部を取外し可能に密閉している凍結エミュー油作成部品。
【発明の詳細な説明】
【０００１】
【発明の属する技術分野】
本発明は絆創膏に関する。本発明は、特に人やその他の動物を使用対象とする絆創膏に関する。また、本発明は当該絆創膏の製造に用いる凍結エミュー油作成部品に関する。
【０００２】
【従来の技術】
エミュー油はオーストラリア原産の鳥であるエミューの油脂から抽出・精製される動物性油である。そして、エミュー油が創傷や火傷の治療に効果があることが知られており、アメリカ国特許公報第５，４３１，９２４号や特許公開公報（特開２００１−２６１５６７号）にもエミュー油の効能が開示されている。また、関節炎を治癒する効能もある。
【特許文献１】
アメリカ国特許公報第５，４３１，９２４号
【特許文献２】
特開２００１−２６１５６７号
【０００３】
【発明が解決しようとする課題】
しかしながら、エミュー油は常温で液体あるいは流動体であるため、エミュー油を皮膚に塗布すると、衣服等に付着したり、塗布部分の周辺へエミュー油が広がり、意図せずに汚れたり、べとついてしまい問題である。
【０００４】
エミュー油を皮膚に塗布した後に、塗布部分をガーゼなどで覆い粘着テープや包帯で巻き固定することも考えられるが、エミュー油が指等に付着し粘着テープにも付着するため、液体状のエミュー油を塗布した後に、粘着テープで固定するのは、粘着が十分に行えず問題である。
【０００５】
そこで、本発明の目的は、皮膚の所定部にのみエミュー油を配置し、周辺にエミュー油が広がることなく、粘着シートによって粘着しエミュー油を固定することができる絆創膏を提供することである。また、本発明の目的は、当該絆創膏の製造に用いる凍結エミュー油作成部品を提供することである。
【０００６】
【課題を解決するための手段】
上記目的は、請求項１に記載の絆創膏、すなわち、凍結したエミュー油を粘着シートの粘着剤塗布面の中央部に付着している絆創膏によって、達成される。
【０００７】
本発明の好ましい実施態様においては、請求項２に記載のように、凍結したエミュー油は、天然繊維または合成繊維にエミュー油を常温で浸透させた後に、冷却しエミュー油を凍結させて得る。ここで、「天然繊維または合成繊維」には、天然繊維または合成繊維の布、不織布や脱脂綿も含まれる。
【０００８】
また、上記目的は、請求項３に記載の絆創膏、すなわち、凍結したエミュー油および他の機能性成分を粘着シートの粘着剤塗布面の中央部に付着している絆創膏によっても、達成される。
【０００９】
本発明の好ましい実施態様においては、請求項４に記載のように、凍結してエミュー油および他の機能性成分は、常温でエミュー油と他の機能性成分とを混合した液体中に、天然繊維または合成繊維を浸漬し浸透させた後に冷却し、エミュー油および他の機能性成分を凍結させて得る。ここで、「天然繊維または合成繊維」には、天然繊維または合成繊維の布、不織布や脱脂綿も含まれる。
【００１０】
本発明の他の好ましい実施態様においては、請求項５に記載のように、凍結したエミュー油に保冷材を除去可能に接触させ冷却している。
【００１１】
本発明のさらに他の好ましい実施態様においては、請求項６に記載のように、凍結したエミュー油および他の機能性成分に保冷材を除去可能に接触させ冷却している。
【００１２】
さらにまた、上記目的は、請求項７に記載の凍結エミュー油作成部品、すなわち、浅底の容器の中にエミュー油を満たし、容器の上部を取外し可能に密閉している凍結エミュー油作成部品によっても、達成される。
【００１３】
【発明の実施の形態】
以下、本発明の種々の実施形態について、添付図面を参照して、詳細に説明する。
【００１４】
エミュー油の抽出・精製方法は、エミューの成鳥の油脂をミキサーで微細に切断するとともに純水を加えて混合してエミュー油と純水との混合液を得て、次に、ステンレス鋼メッシュまたはスクリーンを用いて油脂細片と液体とを分離し、さらに液体部分を遠心分離してエミュー油を得た。これらの処理は１５〜２５℃の常温で行うのが好ましい。また、純水の代わりにメタノール、エタノール、グリコールなどの有機溶剤を用いることもできる。創傷や火傷の部位に直接塗布する場合には、天然成分以外の化学物質を混合しない方が好ましい。エミュー油と溶剤とを分離するために、フィルターを用いたろ過を行ってもよい。
【００１５】
第１実施形態
このようにして得た常温のエミュー油を底浅で四角形または円形の凹部を有する型に深さ３〜６ｍｍとなるように注ぎ込む。底は平面であっても多少の凹凸があってもよい。型にエミュー油を注ぎ込んだ後に、５℃以下に冷却し凍結する。十分に凍結した後に、型から外して凍結したエミュー油１を得る。他の型の形状として、正多角形やドーナツ形であってもよい。また、エミュー油にビタミンＥを添加し十分に溶かした後に、凍結してもよい。
【００１６】
図１は本発明に係る実施形態の絆創膏の斜視図であり、図２は本発明に係る実施形態の絆創膏の断面図である。
【００１７】
粘着シート２の粘着剤塗布面２ａの中央部に凍結したエミュー油１を付着する。凍結したエミュー油１の周辺には十分な幅（１０〜２０ｍｍ）の粘着シート２の余白部があるのが好ましい。
【００１８】
粘着シート２の粘着剤塗布面２ａおよび凍結したエミュー油１は剥離シート３によって完全にカバーされているのが良い。
【００１９】
第２実施形態
厚さ３〜６ｍｍの綿繊維ガーゼを四角形、円形、正多角形、あるいはドーナツ形に切り抜き、平底の容器に互いが重ならないように平らに敷く。その綿繊維ガーゼに常温のエミュー油を注ぎ、エミュー油をすべて綿繊維ガーゼにしみ込ませる。この時に、容器の底にエミュー油がたまらないように、エミュー油を注ぐ量を調整しなければならない。その後に、５℃以下に冷却してエミュー油を凍結する。エミュー油をガーゼにしみ込ませ、かつ、凍結して、凍結したエミュー油１を得た。あるいは、寸法５ｍｍ〜５０ｍｍの正方形の脱脂綿にエミュー油をしみ込ませた後に、凍結させてもよい。
【００２０】
粘着シート２の粘着剤塗布面２ａの中央部に凍結したエミュー油１を付着する。凍結したエミュー油１の周辺には十分な幅（１０〜２０ｍｍ）の粘着シート２の余白部があるのが好ましい。
【００２１】
粘着シート２の粘着剤塗布面２ａおよび凍結したエミュー油１は剥離シート３によって完全にカバーされているのが良い。
【００２２】
保管方法としては、第１実施形態および第２実施形態の絆創膏ともに、冷凍庫に収納し０℃以下に保つのが好ましい。また、屋外等で使用するのであれば、保冷材を凍結したエミュー油に接触させた状態でアイスボックスに収納して凍結したエミュー油を５℃以下、好ましくは０℃以下に保つのが良い。
【００２３】
図３は第１または第２実施形態の絆創膏の使用状態を示す断面説明図である。初めに剥離シート３を取り外す。皮膚４の患部４ａに凍結したエミュー油１が接するようにし、粘着シート２を患部４ａのまわりの皮膚４に粘着する。初めは凍結したエミュー油１が十分に凍結し固化しているので、患部４ａの周囲にはエミュー油が付着することがない。そのため、粘着シート２による粘着は十分であり、剥離しにくい。また、火傷や関節炎の患部に凍結したエミュー油を接触させることによって、患部は冷却される。その後に、体温によって凍結したエミュー油１は患部との接触部から徐々に融けエミュー油の液体となり、患部４ａから皮膚内に浸透していく。しかし、粘着シート２による粘着が十分であるので、融けたエミュー油は周囲に広がりにくい。
【００２４】
第３実施形態
厚さ３〜６ｍｍの脱脂綿を四角形、円形、正多角形、あるいはドーナツ形に切り抜き、平底の容器に互いが重ならないように平らに敷く。その脱脂綿に常温のエミュー油を注ぎ、エミュー油をすべて脱脂綿にしみ込ませる。この時に、容器の底にエミュー油がたまらないように、エミュー油を注ぐ量を調整しなければならない。そして、容器の上部をプラスチック製あるいはアルミニウム製のシールによって密封して、凍結エミュー油作成部品を得る。
【００２５】
第４実施形態
厚さ３〜６ｍｍの脱脂綿を四角形、円形、正多角形、あるいはドーナツ形に切り抜く。底浅で四角形または円形の凹部を有する型を用意する。底は平面であっても多少の凹凸があってもよい。型はプラスチック製やアルミニウム合金製であってもよい。このような型に当該打抜いた脱脂綿を充填する。その脱脂綿に常温のエミュー油を注ぎ、エミュー油をすべて脱脂綿にしみ込ませる。この時に、容器の底にエミュー油がたまらないように、エミュー油を注ぐ量を調整しなければならない。そして、容器の上部をプラスチック製あるいはアルミニウム製のシールによって密封して、凍結エミュー油作成部品を得る。
【００２６】
第３実施形態または第４実施形態の凍結エミュー油作成部品は家庭用あるいは業務用の冷凍庫の中に底を下にしてほぼ水平にして放置して、エミュー油を凍結する。そして凍結したエミュー油を患部に当てつつ、その上及び周囲を市販の粘着シートを用いて、覆い粘着する。
【００２７】
【発明の効果】
本発明に係る絆創膏は、凍結したエミュー油を粘着シートの粘着剤塗布面の中央部に付着しているので、エミュー油は使用前に酸化や劣化しにくく、絆創膏の使用当初におけるエミュー油の状態が一定に保たれ、よって、本発明の絆創膏の使用による効能は、保管期間が数ヶ月以上であっても、ほぼ一定であるという効果が得られる。一方、常温でエミュー油を放置すると、２〜６ヶ月で酸化してしまい、効能が著しく低下することを発明者は確認した。
【００２８】
本発明に係る絆創膏は、凍結したエミュー油を粘着シートの粘着剤塗布面の中央部に付着されているので、保存時および使用当初は、エミュー油が固化しており、指に付着しにくく、周囲に広がりにくい。よって、粘着シートの粘着力は、使用当初において、阻害されることなく、凍結したエミュー油の周囲の皮膚と十分に粘着し、剥離しにくいという効果が得られる。さらに、使用によって、体温で凍結したエミュー油は温められ徐々に融け出してエミュー油が徐々に液体となる。しかし、すでに周囲は粘着シートと皮膚とが密着している状態であるので、融け出したエミュー油の液体は周囲に広がらないという効果が得られる。融け出したエミュー油は患部に留まり、エミュー油は患部に十分に浸透するという効果が得られ、付着すべきエミュー油の量を少なくして、コストを低減できるという効果が得られる。
【００２９】
本発明に係る絆創膏は、凍結したエミュー油を粘着シートの粘着剤塗布面の中央部に付着しているので、患部を冷却して炎症をやわらげることができるという効果が得られる。
【００３０】
本発明に係る絆創膏は、凍結したエミュー油を粘着シートの粘着剤塗布面の中央部に付着しているので、製造時、保管時、および使用当初において、エミュー油は凍結し固化しており、手や指がベトつかないので扱いがより容易であるという効果が得られる。
【００３１】
本発明に係る凍結エミュー油作成部品は、浅底の容器の中にエミュー油を満たし、容器の上部を取外し可能に密封しているので、凍結エミュー油作成部品自体の運送及び保管が容易であり、輸送費が安価とであるとともに、ゴミ等が混入しにくく、酸化しにくいという効果が得られる。
【００３２】
さらに、本発明に係る凍結エミュー油作成部品は、底を下にしてほぼ水平にして冷凍庫の中に５〜２０時間放置するだけで、容易に誰でも凍結したエミュー油を得ることができるという効果が得られる。
【図面の簡単な説明】
【図１】本発明に係る実施形態の絆創膏の斜視図である。
【図２】本発明に係る実施形態の絆創膏の断面図である。
【図３】実施形態の絆創膏の使用状態を示す断面説明図である。
【符号の説明】
１  エミュー油
２  粘着シート
２ａ  粘着剤塗布面
３  剥離シート
４  皮膚
４ａ  患部
【図１】
2005000201.tif 000003
【図２】
2005000201.tif 000004
【図３】
2005000201.tif 000005